(57)【要約】【課題】複数の照明器具を有する照明装置であって、照明器具同士の連結がしやすく組み立てが簡易な照明装置を提供する。【解決手段】照明装置は、光源となる発光基板を有する光源ユニットと、光源ユニットが配置される器具本体と、を有する複数の照明器具と、隣接する照明器具の端部にそれぞれ嵌め合わされることで照明器具を連結させる連結部材と、を備えているものである。【選択図】図１７
2020004690.tif 000002
【特許請求の範囲】
【請求項１】
光源となる発光基板を有する光源ユニットと、前記光源ユニットが配置される器具本体と、を有する複数の照明器具と、
隣接する前記照明器具の端部にそれぞれ嵌め合わされることで前記照明器具を連結させる連結部材と、
を備えている照明装置。
【請求項２】
前記連結部材は、
隣接する前記照明器具の端部にそれぞれ挿し込まれる中間連結部と、前記中間連結部に固定され、隣接する前記照明器具の端部を覆う保持部と、を有する請求項１に記載の照明装置。
【請求項３】
前記中間連結部は、
前記器具本体に挿入される連結用突出部を有し、
前記器具本体は、
前記器具本体の側面を構成する側板部を有し、
前記側板部には、前記連結用突出部が挿入される溝部が形成されている請求項２に記載の照明装置。
【請求項４】
前記照明器具は、
前記器具本体の端部に配置される端板部を有し、
前記端板部は、
前記器具本体の内部に延び、第一係合部が形成された連結バネを有し、
前記連結用突出部には、前記連結用突出部が前記器具本体に挿入された状態において、前記第一係合部と係合する第二係合部が形成されている請求項３に記載の照明装置。
【請求項５】
前記器具本体は、
天井壁を形成する天板部を有し、
前記中間連結部は、
互いに向かうように配置された前記連結用突出部を有しており、
２つの前記連結用突出部は、
それぞれの上縁部に、互いに近づくように突出した支持片を有し、
前記連結部材が前記照明器具に取り付けられると、前記天板部と前記支持片とが対向する請求項３又は４に記載の照明装置。
【請求項６】
前記照明器具の端部に挿し込まれる端部連結部と、前記端部連結部に固定され、前記照明器具の端部を覆う前記保持部と、前記保持部に取り付けられる蓋部と、を有する端部用連結部材を更に備え、
前記端部用連結部材は、
連結した複数の前記照明器具の、両方の端部を覆う請求項２〜５のいずれか１項に記載の照明装置。
【請求項７】
前記中間連結部は、
一端が天井に固定される吊り下げ具の他端に取り付けられる中央固定部を有する請求項２〜５のいずれか１項に記載の照明装置。
【請求項８】
前記端部連結部は、
一端が天井に固定される吊り下げ具の他端に取り付けられる中央固定部を有する請求項６に記載の照明装置。
【請求項９】
前記照明器具は、
前記光源ユニットを覆い、前記器具本体に取り付けられるカバーを有し、
前記保持部は、前記カバーの端部を外側から覆う請求項２〜８のいずれか１項に記載の照明装置。
【請求項１０】
前記連結部材は、
隣接する前記照明器具の前記端部にそれぞれ引っ掛かることで前記照明器具と係合する請求項１に記載の照明装置。
【請求項１１】
前記照明器具は、長尺に形成されており、
前記器具本体は、
前記照明器具の長手方向の前記端部に配置される蓋部を有し、
前記蓋部は、
前記端部を覆う蓋本体部と、
前記蓋本体部から突出する蓋突設部と、
を有し、
前記連結部材は、
前記連結部材が前記蓋部に取り付けられる場合に、前記蓋本体部と対向する連結側壁部を有し、
前記連結側壁部には、前記蓋突設部が係合する連結用開口が形成されている請求項１０に記載の照明装置。
【請求項１２】
前記蓋本体部は、
上縁部から突出し、前記蓋部が前記照明器具に配置される場合に、前記照明器具の短手方向において片側に寄るように形成されている蓋固定部を有し、
前記連結部材は、
前記連結側壁部を両端の縁部に形成する連結本体部を有し、
前記蓋部と前記連結部材とを係合する際に、前記蓋固定部と前記連結本体部とが固定具により固定される請求項１１に記載の照明装置。
【請求項１３】
前記連結部材に固定され、隣接する前記照明器具の前記端部を覆う保持部を更に有する請求項１０〜１２のいずれか１項に記載の照明装置。
【請求項１４】
前記器具本体は、
前記器具本体の側面を構成する側板部と、
対向する２つの前記側板部を両縁部に一体に形成する底板部と、を有する請求項１０〜１３のいずれか１項に記載の照明装置。
【請求項１５】
前記側板部は、前記照明器具の外側に反るように円弧状に形成されている請求項１４に記載の照明装置。
【発明の詳細な説明】
【技術分野】
【０００１】
本発明は、複数の照明器具を有する照明装置に関するものである。
【背景技術】
【０００２】
従来から、光源ユニットを備えた照明器具が提供されている（例えば、特許文献１参照）。
【先行技術文献】
【特許文献】
【０００３】
【特許文献１】特開２０１４−０７８５１１号公報
【発明の概要】
【発明が解決しようとする課題】
【０００４】
特許文献１の照明器具は、単体で使用するものであるが、使用環境等によっては複数の照明器具を連結させた照明装置として使用したい場合もある。このような場合、照明装置は、連結金具を用いて、隣接する照明器具同士をネジ止めして連結させることが考えられる。しかしながら、このような照明装置は、複数の照明器具を連結する施工に手間がかかり組み立てが困難となる。
【０００５】
本発明は、上記のような課題を解決するためのもので、複数の照明器具を有する照明装置であって、照明器具同士の連結がしやすく組み立てが簡易な照明装置を提供するものである。
【課題を解決するための手段】
【０００６】
本発明に係る照明装置は、光源となる発光基板を有する光源ユニットと、光源ユニットが配置される器具本体と、を有する複数の照明器具と、隣接する照明器具の端部にそれぞれ嵌め合わされることで照明器具を連結させる連結部材と、を備えているものである。
【発明の効果】
【０００７】
本発明の照明装置は、隣接する照明器具の端部にそれぞれ嵌め合わされることで照明器具を連結させる連結部材を備えている。そのため、照明装置は、連結部材を照明器具に嵌め合わせるだけで複数の照明器具を連結することができ、作業者は、照明器具を連結させやすい。その結果、作業者は、照明装置の組み立てを容易にすることができる。
【図面の簡単な説明】
【０００８】
【図１】本発明の実施の形態１に係る照明器具の斜視図である。
【図２】図１の照明器具の側面図である。
【図３】図１の照明器具の分解斜視図である。
【図４】図１の照明器具の分解側面図である。
【図５】図２の照明ユニットの分解斜視図である。
【図６】図２の照明ユニットの分解側面図である。
【図７】図６の連結部と側板部とを係合させた拡大図である。
【図８】図６の側板部の拡大図である。
【図９】図５の端板部の斜視図である。
【図１０】図４の照明ユニットのＡ−Ａ線断面図である。
【図１１】図５の光源ユニットの斜視図である。
【図１２】図１１の光源ユニットの分解斜視図である。
【図１３】光源ユニットと器具本体とが分離した状態の光源ユニットの取付参考図である。
【図１４】光源ユニットと器具本体とが接触した状態の光源ユニットの取付参考図である。
【図１５】光源ユニットと器具本体とが係合した状態の光源ユニットの取付参考図である。
【図１６】本発明の実施の形態１に係る照明器具の配光を説明する参考図である。
【図１７】本発明の実施の形態２に係る照明装置の斜視図である。
【図１８】図１７の照明装置を構成する始端用照明器具の斜視図である。
【図１９】図１７の照明装置を構成する中間用照明器具の斜視図である。
【図２０】図１７の照明装置を構成する終端用照明器具の斜視図である。
【図２１】図１７の照明装置を構成する中間用連結部材の斜視図である。
【図２２】図２１の中間用連結部材の分解斜視図である。
【図２３】図１７の照明装置を構成する端部用連結部材の斜視図である。
【図２４】図２３の端部用連結部材の分解斜視図である。
【図２５】本発明の実施の形態３に係る照明装置に用いられる蓋部の斜視図である。
【図２６】図２５の蓋部と組み合わされる連結部の斜視図である。
【図２７】図２５の蓋部及び図２６の連結部を用い、隣接する照明器具が連結する前の斜視図である。
【図２８】図２５の蓋部及び図２６の連結部を用い、隣接する照明器具が連結した状態の斜視図である。
【図２９】器具本体の変形例の正面概念図である。
【発明を実施するための形態】
【０００９】
以下、本発明の実施の形態に係る照明器具１について、図面を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向あるいは位置を表す用語（例えば「上」、「下」、「右」、「左」、「前」、「後」など）を適宜用いる。しかし、これらの表記は、説明の便宜上、そのように記載しているだけであって、装置あるいは部品の配置及び向きを限定するものではない。
【００１０】
実施の形態１．
図１は、本発明の実施の形態１に係る照明器具１の斜視図である。図２は、図１の照明器具１の側面図である。まず、図１及び図２を参照して、照明器具１の全体構成を説明する。なお、以下に説明する各図において、Ｚ軸は、照明器具１の上下方向を示し、Ｘ軸は、照明器具１の長手方向を示し、Ｙ軸は、照明器具１の短手方向を示す。また、照明器具１が取り付けられる天井などの被取付面側を上方向Ｚ１とし、上方向Ｚ１と反対側を下方向Ｚ２とする。
【００１１】
［照明器具１］
照明器具１は、長尺に形成されており、照明ユニット１０と、第一カバー３００と、第二カバー４００と、を備えている。照明器具１は、角柱状に形成されており、図２に示すように、長手方向（Ｘ軸方向）に見た場合の側面視において、矩形状に形成されている。照明器具１は、第一カバー３００が照明ユニット１０の下部と係合して照明ユニット１０に保持されており、第二カバー４００が照明ユニット１０の上部と係合して照明ユニット１０に保持されている。なお、照明器具１は、天井等の被取付部から吊り下げられて取り付けられるものであるが、支柱により立ち上がるように配設されるもの、一方側の側面が壁に取り付けられるものでもよい。
【００１２】
（照明ユニット１０）
照明ユニット１０は、図２に示すように、器具本体１００と、光源ユニット２００と、を有する。光源ユニット２００は、器具本体１００の天井部１００ａと本体底部１００ｂとに配置されている。器具本体１００の天井部１００ａに配置されている光源ユニット２００を光源ユニット２００Ａと称する。光源ユニット２００Ａは、器具本体１００から上方向（Ｚ１方向）に向けて発光する装置である。器具本体１００の本体底部１００ｂに配置されている光源ユニット２００を光源ユニット２００Ｂと称する。光源ユニット２００Ｂは、器具本体１００から下方向（Ｚ２方向）に向けて発光する装置である。すなわち、照明器具１の照明ユニット１０は、上方向（Ｚ１方向）と、下方向（Ｚ２方向）とに向けて発光する２つの光源ユニット２００を有している。器具本体１００の天井部１００ａには、光源ユニット２００Ａが取り付けられる本体開口部１０１Ａが形成されている。同様に、器具本体１００の本体底部１００ｂには、光源ユニット２００Ｂが取り付けられる本体開口部１０１Ｂが形成されている。また、図２に示すように器具本体１００の長手方向（Ｘ軸方向）の端部には、後述する連結部材１１００が差し込まれる連結開口部１０２が形成されている。なお、器具本体１００、光源ユニット２００の詳細な構成は後述する。
【００１３】
図３は、図１の照明器具１の分解斜視図である。図４は、図１の照明器具１の分解側面図である。図３及び図４を用いて、第一カバー３００及び第二カバー４００について説明する。なお、第一カバー３００及び第二カバー４００は、ポリカーボネートあるいはアクリルなどの透光性を有する樹脂材料で形成されている。
【００１４】
（第一カバー３００）
第一カバー３００は、光源ユニット２００Ｂを覆うように器具本体１００に取り付けられている。第一カバー３００は、例えば、乳白色のアクリル樹脂など拡散性を有する材料により形成され、後述する発光素子２２１から照射される光を拡散する。第一カバー３００は、乳白材あるいは拡散部材が混ぜ込まれた材料を用いることで、光の拡散幅を広げて、光を均一に照射させることができる。第一カバー３００は、発光基板２２０から出射された光の入射角によって光を直進させ又は屈折させる。また、第一カバー３００は、発光基板２２０の発光素子２２１から出射された光の入射角によって、光の一部又は全部を反射させる。第一カバー３００は、発光素子２２１から出射された光を全反射させてもよい。なお、全反射とは、光が屈折率の大きい媒質中から屈折率の小さい媒質に入射する時、入射角がある一定の角（臨界角）より大きいと、境界面で全部反射される現象をいう。第一カバー３００は、長尺状に形成されている。また、第一カバー３００は、複数の平面を形成する板材から形成されており、長手方向（Ｘ軸方向）に見た場合の側面視において、台形状に形成されている。より詳細には、第一カバー３００は、長尺の平板状に形成された内カバー平板部３０５と、内カバー平板部３０５の短手方向（Ｙ軸方向）の両端部から立ち上がるカバー傾斜部３１０と、カバー傾斜部３１０の先端に形成された先端傾斜部３２０とを有する。内カバー平板部３０５は、第一カバー３００が器具本体１００に取り付けられた状態において、光源ユニット２００Ｂと対向する。内カバー平板部３０５の長さは、器具本体１００の短手方向（Ｙ軸方向）において、器具本体１００の長さよりも長い。互いに向かい合う２つのカバー傾斜部３１０は、互いが近づく方向に向かって内側に傾斜している。すなわち、互いに向かい合う２つのカバー傾斜部３１０は、先端側が内カバー平板部３０５に近づくように内側に傾斜している。それぞれのカバー傾斜部３１０の先端に形成された先端傾斜部３２０は、互いの先端が対向するように内側に曲折して形成されている。また、先端傾斜部３２０の第一カバー先端部３２０ａは、先端傾斜部３２０とカバー傾斜部３１０との間に位置する曲折部３２０ｂよりも、内カバー平板部３０５側に配置されるように、内カバー平板部３０５の板面に対して傾斜している。カバー傾斜部３１０は、図２〜図４に示すように、器具本体１００の短手方向（Ｙ軸方向）において、器具本体１００の幅よりも外側に突出している。
【００１５】
（第二カバー４００）
第二カバー４００は、第一カバー３００の内カバー平板部３０５及び器具本体１００の側面を構成する側板部１２０を覆うように器具本体１００に取り付けられている。第二カバー４００は、例えば、乳白色のアクリル樹脂など拡散性を有する材料により形成され、後述する発光素子２２１から照射される光を拡散する。第二カバー４００は、乳白材あるいは拡散部材が混ぜ込まれた材料を用いることで、光の拡散幅を広げて、光を均一に照射させることができる。第二カバー４００は、発光基板２２０から出射された光の入射角によって光を直進させ又は屈折させる。また、第二カバー４００は、発光基板２２０の発光素子２２１から出射された光の入射角によって、光の一部又は全部を反射させる。第二カバー４００は、発光素子２２１から出射された光を全反射させてもよい。全反射とは、上述したように光が屈折率の大きい媒質中から屈折率の小さい媒質に入射する時、入射角がある一定の角（臨界角）より大きいと、境界面で全部反射される現象をいう。第二カバー４００は、長尺状に形成されている。また、第二カバー４００は、複数の平面を形成する板材から形成されており、長手方向（Ｘ軸方向）に見た場合の側面視において、矩形状に形成されている。より詳細には、第二カバー４００は、長尺の平板状に形成された外カバー平板部４０５と、外カバー平板部４０５の短手方向（Ｙ軸方向）の両端部から立ち上がるカバー側面部４１０と、カバー側面部４１０の先端に形成された先端引掛部４２０とを有する。互いに向かい合う２つのカバー側面部４１０は、互いに対向するように形成されており、外カバー平板部４０５に対して略垂直に形成されている。それぞれのカバー側面部４１０の先端に形成された先端引掛部４２０は、互いの先端が対向するように内側に曲折して形成されている。また、先端引掛部４２０の先端部４２０ａは、外カバー平板部４０５に向かうように外カバー平板部４０５の板面に対して傾斜している。
【００１６】
［器具本体１００］
図５は、図２の照明ユニット１０の分解斜視図である。図６は、図２の照明ユニット１０の分解側面図である。照明ユニット１０は、上述したように、器具本体１００と、光源ユニット２００と、を有する。器具本体１００は、長尺状に形成されており、連結部１１０と、側板部１２０と、点灯制御部１３０と、端板部１４０とを備えている。連結部１１０と、側板部１２０と、端板部１４０とは、例えば、ネジ等の固定手段１１５によって互いに組み合わされて固定されている。点灯制御部１３０は、連結部１１０上に載置され、ネジ等の固定手段（図示せず）によって連結部１１０上に取り付けられている。器具本体１００は、連結部１１０、側板部１２０、点灯制御部１３０及び端板部１４０が組み合わされた状態では、図２に示すように、天井部１００ａ及び本体底部１００ｂの向かい合う壁部にそれぞれ本体開口部１０１Ａ及び本体開口部１０１Ｂが形成されている。
【００１７】
（連結部１１０）
図７は、図６の連結部１１０と側板部１２０とを係合させた拡大図である。図８は、図６の側板部１２０の拡大図である。図２、図５〜図８を用いて、器具本体１００の構成を更に説明する。連結部１１０は、図５及び図６に示すように、平板状の底面部１１１と、互いに向かい合う平板状の側部１１２と、を有し、断面が略コの字状に形成されている。底面部１１１は、２つの側部１１２を連結させる。また、平板状の底面部１１１の一面側には、点灯制御部１３０が載置されて取り付けられている。底面部１１１は、本体開口部１０１Ａ及び本体開口部１０１Ｂの２つの開口部の間において、いずれか一方の開口部に近づいて配置される。連結部１１０は、図７に示すように、側部１１２が側板部１２０と係合し、短手方向（Ｙ軸方向）において、連結部１１０の外側に側板部１２０が配置されている。器具本体１００は、連結部１１０に２つの側板部１２０が取り付けられることによって図２に示す天井部１００ａが形成され、天井部１００ａには本体開口部１０１Ａが形成される。また、器具本体１００は、連結部１１０に２つの側板部１２０が取り付けられることによって図２に示す本体底部１００ｂが形成され、本体底部１００ｂには本体開口部１０１Ｂが形成される。すなわち、器具本体１００は、連結部１１０に２つの側板部１２０が取り付けられることによって、上方向（Ｚ１方向）及び下方向（Ｚ２方向）のそれぞれの壁部に本体開口部１０１Ａ及び本体開口部１０１Ｂが形成される。連結部１１０は、図５に示すように、底面部１１１の長手方向（Ｘ軸方向）の端部側に、後述する点灯制御部１３０と光源ユニット２００とを接続する配線用の切り欠き部１１１ａが形成されている。
【００１８】
（側板部１２０）
器具本体１００は、図５〜図７に示すように、互いに対向するように配置された２つの板状の側板部１２０を有する。側板部１２０は、アルミ材料など放熱性の良い材料で形成されている。そのため、側板部１２０は、連結部１１０の側部１１２と係合することで、連結部１１０に取り付けられた点灯制御部１３０から生じる熱を放熱させるヒートシンクの役割を果たす。側板部１２０は、板状に形成された第一反射部１２７を有する。第一反射部１２７は、連結部１１０の短手方向（Ｙ軸方向）の両端部側において、連結部１１０の底面部１１１に対して略垂直に配置される。第一反射部１２７は、板状に形成されており、点灯制御部１３０が配置される側とは反対側の面、すなわち、照明器具１において第二カバー４００のカバー側面部４１０と対向する面が、反射するように形成されている。第一反射部１２７は、例えば、反射部材で形成されている。第一反射部１２７は、反射部材で形成されている替わりに、反射塗料を用いてもよく、基材に反射部材を配置してもよい。第一反射部１２７は、平面に形成されているが、凹凸面を形成してもよい。
【００１９】
また、図８に示すように、長手方向（Ｘ軸方向）に見た場合の側面視において、側板部１２０は、発光基板２２０に対する垂直方向において、第一反射部１２７の上下方向（Ｚ軸方向）の両端部から同じ方向に立ち上がる天板部１２３と、底板部１２４とを有する。天板部１２３と、底板部１２４とは互いに対向するように形成され、また、第一反射部１２７に対して略垂直状に形成されている。
【００２０】
天板部１２３は、器具本体１００の天井壁を構成する。天板部１２３は、図８に示すように、天板部１２３の立ち上がり方向の先端に位置する天板先端部１２３ｂに、第一傾斜部１２３ａが形成されている。器具本体１００において、図２、図７及び図８に示すように、互いに向かい合う２つの側板部１２０の第一傾斜部１２３ａは、発光基板２２０に対する垂直方向（Ｚ軸方向）において、底板部１２４とは反対側に傾斜している。また、互いに向かい合う２つの側板部１２０の第一傾斜部１２３ａは、発光基板２２０に対する垂直方向（Ｚ軸方向）において、底板部１２４と反対方向に向かうに従って、互いの距離が近づくように傾斜している。照明器具１は、図２及び図７に示すように、器具本体１００において、互いに向かい合う２つの第一傾斜部１２３ａの間に、器具本体１００の上下方向に形成された一方の開口部である本体開口部１０１Ａが形成されている。第一傾斜部１２３ａの先端に位置する傾斜先端部１２３ａ１は、曲面で構成され、鉛直断面が円弧状に形成されている。
【００２１】
底板部１２４は、図８に示すように、底板部１２４の立ち上がり方向の先端に位置する底板先端部１２４ｂに、第二傾斜部１２４ａが形成されている。器具本体１００において、図２、図７及び図８に示すように、互いに向かい合う２つの側板部１２０の第二傾斜部１２４ａは、発光基板２２０に対する垂直方向（Ｚ軸方向）において、天板部１２３とは反対側に傾斜している。また、互いに向かい合う２つの側板部１２０の第二傾斜部１２４ａは、発光基板２２０に対する垂直方向（Ｚ軸方向）において、天板部１２３と反対方向に向かうに従って、互いの距離が近づくように傾斜している。照明器具１は、図２及び図７に示すように、器具本体１００において、互いに向かい合う２つの第二傾斜部１２４ａの間に、器具本体１００の上下方向に形成された他方の開口部である本体開口部１０１Ｂが形成されている。第二傾斜部１２４ａは、第二傾斜部１２４ａの先端に、円弧状に曲折する底部曲折部１２４ａ１を有する。側板部１２０は、図８に示すように、１つの側板部１２０において、第一傾斜部１２３ａと、第二傾斜部１２４ａとが、互いに離れる方向に傾斜している。
【００２２】
また、側板部１２０は、第二傾斜部１２４ａの先端から外側に曲折して底板部１２４と対向する第二反射部１２８を有する。前述した底部曲折部１２４ａ１は、第二傾斜部１２４ａと、第二反射部１２８との間に位置する。第二反射部１２８は、板状に形成されており、光源ユニット２００Ｂが配置される側の面、すなわち、照明器具１において第一カバー３００の内カバー平板部３０５と対向する面が、反射するように形成されている。第二反射部１２８は、例えば、反射部材で形成されている。第二反射部１２８は、反射部材で形成されている替わりに、反射塗料を用いてもよく、基材に反射部材を配置してもよい。第二反射部１２８は、平面に形成されているが、凹凸面を形成してもよい。第二反射部１２８は、第二傾斜部１２４ａから第二反射部１２８の先端に向かって、底板部１２４との距離が近づくように傾斜している。すなわち、第二反射部１２８は、第二傾斜部１２４ａから第二反射部１２８の先端に向かって、斜め上方に向くように傾斜しており、第二反射部１２８は、第二傾斜部１２４ａの板面に対して傾斜している。
【００２３】
側板部１２０は、図８に示すように、第二傾斜部１２４ａと、第二反射部１２８とによって、鉤状に形成された第一カバー保持部１２５を構成する。換言すると、側板部１２０は、発光基板２２０に対する垂直方向（Ｚ軸方向）において、第一反射部１２７の端部に第一カバー保持部１２５を有する。第一カバー保持部１２５は、器具本体１００の短手方向（Ｙ軸方向）において、底板部１２４と第二反射部１２８との間が器具本体１００の外側に向かって開口するカバー保持用開口部１２５ａが形成されている。第一カバー保持部１２５は、器具本体１００の短手方向（Ｙ軸方向）において、カバー保持用開口部１２５ａから第二傾斜部１２４ａに向かって底板部１２４と第二反射部１２８との間が広がるように形成されている。換言すると、第一カバー保持部１２５は、器具本体１００の短手方向（Ｙ軸方向）において、第二傾斜部１２４ａからカバー保持用開口部１２５ａに向かって底板部１２４と第二反射部１２８との間が狭まるように形成されている。第一カバー保持部１２５は、第一カバー３００と係合する板状に形成された第二反射部１２８を有し、第二反射部１２８が図４に示す第一カバー３００の先端傾斜部３２０と係合することで第一カバー３００を保持する。
【００２４】
また、側板部１２０は、図８に示すように、第一反射部１２７の天板部１２３が立ち上がる端部において、第一反射部１２７の板面に対して天板部１２３とは反対方向に立ち上がり、第一反射部１２７の板面に対して傾斜する第三反射部１２９を有する。換言すれば、側板部１２０は、発光基板２２０に対する垂直方向（Ｚ軸方向）において、第一カバー保持部１２５が形成されている側と反対側の第一反射部１２７の端部から突出する板状に形成された第三反射部１２９を有する。第三反射部１２９は、光源ユニット２００Ａが配置される側とは反対側の面、すなわち、照明器具１において第二カバー４００のカバー側面部４１０と対向する面が、反射するように形成されている。第三反射部１２９は、例えば、反射部材で形成されている。第三反射部１２９は、反射部材で形成されている替わりに、反射塗料を用いてもよく、基材に反射部材を配置してもよい。第三反射部１２９は、平面に形成されているが、凹凸面を形成してもよい。第三反射部１２９は、第三反射部１２９の立ち上がり方向の先端部に、天板部１２３の立ち上がり方向と反対方向に曲折する第二カバー保持部１２６を有する。第二カバー保持部１２６は、図４に示す第二カバー４００の先端引掛部４２０と係合し、第二カバー４００を保持する。
【００２５】
上記の様に、照明器具１は、互いに向かい合う２つの側板部１２０の天板部１２３が、器具本体１００の天井部１００ａを構成する。そして、互いに向かい合う２つの側板部１２０の第一傾斜部１２３ａは、器具本体１００の本体開口部１０１Ａを形成する。また、照明器具１は、互いに向かい合う２つの側板部１２０の底板部１２４、第二傾斜部１２４ａ及び第二反射部１２８が、器具本体１００の本体底部１００ｂを構成する。そして、互いに向かい合う２つの側板部１２０の第二傾斜部１２４ａは、器具本体１００の本体開口部１０１Ｂを形成する。本体底部１００ｂは、本体開口部１０１Ｂにおいて、底板部１２４から第二反射部１２８に向かって、互いに向かい合う２つの側板部１２０の第二傾斜部１２４ａの間が狭まるように形成されている。
【００２６】
また、側板部１２０は、第一反射部１２７において、第一反射部１２７に対して天板部１２３及び底板部１２４と同じ方向に突出する突出部１２７ａを有する。突出部１２７ａは、第一反射部１２７の上下方向（Ｚ軸方向）の両端部の間において、第一反射部１２７の上下方向（Ｚ軸方向）の両端部の中心位置と天板部１２３との間に形成されている。図８に示すように、長手方向（Ｘ軸方向）に見た場合の側面視において、突出部１２７ａは、略Ｔ字状に形成されている。突出部１２７ａは、突出部１２７ａの突出方向の先端部から天板部１２３側に突出する上部突出部１２７ａ１と、突出部１２７ａの突出方向の先端部から底板部１２４側に突出する下部突出部１２７ａ２とを有する。また、側板部１２０は、底板部１２４から、天板部１２３に向かって突出する底板突出部１２７ｂを有する。側板部１２０は、上部突出部１２７ａ１と、第一反射部１２７とが対向して形成され、上部突出部１２７ａ１と、第一反射部１２７との間に第二溝部１２２が形成されている。第二溝部１２２には、後述する連結部材１１００が挿入されて配置される。側板部１２０は、下部突出部１２７ａ２と第一反射部１２７とが対向して形成されていると共に、底板突出部１２７ｂと第一反射部１２７とが対向して形成されている。そのため、側板部１２０は、下部突出部１２７ａ２及び底板突出部１２７ｂと、第一反射部１２７との間に第一溝部１２１が形成されている。第一溝部１２１には、図７に示すように、連結部１１０の側部１１２が差し込まれて配置される。連結部１１０は、２つの側部１１２の各側部１１２が、側板部１２０と対向するように、側板部１２０に形成された第一溝部１２１に配置される。そのため、連結部１１０は、側部１１２が側板部１２０の突出部１２７ａ及び底板突出部１２７ｂと第一反射部１２７とによって上下方向（Ｚ軸方向）と短手方向（Ｙ軸方向）移動が規制されることによって、第一反射部１２７と係合する。
【００２７】
（点灯制御部１３０）
点灯制御部１３０は、後述の発光基板２２０を制御する。点灯制御部１３０は、図５に示すように、商用電源からの電力供給を受ける為の電源線が挿し込まれる電源端子台１３１と、光源ユニット２００の点灯状態（明るさ及び色温度）などを制御する信号線が挿し込まれる信号端子台１３２と、を有する。また、点灯制御部１３０は、光源ユニット２００を点灯させる点灯装置１３３と、信号端子台１３２からの信号もしくは、無線による信号を受信し、受信した信号を点灯装置１３３に送信する制御ユニット１３４と、を有している。点灯制御部１３０を構成する電源端子台１３１、信号端子台１３２、点灯装置１３３及び制御ユニット１３４は、底面部１１１の一面側に配置され、底面部１１１の長手方向（Ｘ軸方向）に並べて配置されている。なお、制御ユニット１３４は、無線通信するためのアンテナ部（図示せず）を底面部１１１の他面側から突き出るように設けると、通信性を良くすることができる。また、点灯装置１３３は、内部に分配器（図示せず）を有している。点灯装置１３３は、分配器を有していることで、１つの点灯装置１３３によって、例えば発光させる光の色温度などが異なる２種類の基板を切り替えて点灯させることができる。点灯制御部１３０は、電源端子台１３１等が底面部１１１の一面側に配置されているが、底面部１１１の他面側に配置された光源ユニット２００Ｂへの配線は、配線用の切り欠き部１１１ａを介して配線することができる。
【００２８】
（端板部１４０）
図９は、図５の端板部１４０の斜視図である。図４、図５及び図９を用いて端板部１４０を説明する。端板部１４０は、図４に示すように、器具本体１００の長手方向の端部１００ｃに配置される。端板部１４０は、図５及び図９に示すように、円形状の電線用開口１４１ａが形成された板状の端板本体部１４１を有する。端板本体部１４１は、端板部１４０が、器具本体１００に取り付けられた状態において、連結部１１０と側板部１２０とで囲まれた器具本体１００の空間の長手方向（Ｘ軸方向）の端部を塞ぐように配置される。端板本体部１４１は、器具本体１００の短手方向（Ｙ軸方向の）両端部の側辺から立ち上がり、器具本体１００の内部側に突出し、側板部１２０にネジなどの固定手段１１５により固定される端板固定部１４２を有する。端板本体部１４１は、器具本体１００の上下方向（Ｚ軸方向）において、端板本体部１４１の下端部（Ｚ２側端部）の側辺から立ち上がり、端板本体部１４１に対して端板固定部１４２とは反対側に突出した端板鍔部１４３を有する。また、端板本体部１４１には、器具本体１００の長手方向（Ｘ軸方向）の端部において、図２及び図４に示す連結開口部１０２を形成するように端板切り欠き部１４１ｂが形成されている。端板切り欠き部１４１ｂは、上下左右に延びる略十字形状の平板状に形成された端板本体部１４１において、左右方向に延びる板の短手方向（Ｙ軸方向）の両端部かつ、上下方向（Ｚ軸方向）の上側（Ｚ１側）端部に形成されている。すなわち、端板切り欠き部１４１ｂは、端板固定部１４２の上方（Ｚ１方向）に形成されている。
【００２９】
端板部１４０はまた、ブッシュ１４５と、後述する連結部材１１００と係合する連結バネ１４４と、を備えている。連結バネ１４４は、端板切り欠き部１４１ｂを形成する部分の端板本体部１４１に取り付けられている。この連結バネ１４４は、端板部１４０が器具本体１００に取り付けられた状態において、端板本体部１４１の外側の板面に取り付けられており、曲折して器具本体１００の内部に伸び、器具本体１００の内部に突出するように形成されている。連結バネ１４４と端板本体部１４１とは、例えば、リベット等の固定手段によって固定されている。連結バネ１４４には、後述する連結部材１１００と係合する第一係合部１４４ａが形成されている。第一係合部１４４ａは、爪状に形成されている。より詳細には、第一係合部１４４ａは、端板部１４０が器具本体１００に取り付けられた状態において、器具本体１００の短手方向（Ｙ軸方向）に凸となるように連結バネ１４４の一部が曲折されて形成されている。ブッシュ１４５は、環状に形成された部材であり、電線用開口１４１ａに取り付けられている。
【００３０】
図１０は、図４の照明ユニット１０のＡ−Ａ線断面図である。図１０に示すように、端板部１４０が器具本体１００に取り付けられた状態において、端板本体部１４１は、側板部１２０の長手方向（Ｘ軸方向）における端部よりも内側に配置されている。また、連結バネ１４４は、連結部材１１００と係合する第一係合部１４４ａを有しており、端板部１４０が器具本体１００に取り付けられた状態において、連結バネ１４４は、端板切り欠き部１４１ｂから器具本体１００の内部に延びるように配置されている。また、図２に示すように、端板部１４０が器具本体１００に取り付けられた状態において、端板本体部１４１は、端板鍔部１４３が本体開口部１０１Ｂの長手方向（Ｘ軸方向）の端部を覆うように配置される。すなわち、端板部１４０が器具本体１００に取り付けられた状態において、端板鍔部１４３は、向かい合うように配置された側板部１２０の第二傾斜部１２４ａ同士の間に配置される。器具本体１００は、連結部１１０を側板部１２０の第一溝部１２１に長手方向（Ｘ軸方向）の端部側からスライドして係合させ、端板部１４０を側板部１２０に固定している。そのため、照明器具１は、連結部１１０の長手方向（Ｘ軸方向）の移動を規制して取り付けすることができるので、容易に組み立てすることができる。
【００３１】
（光源ユニット２００）
図１１は、図５の光源ユニット２００の斜視図である。図１２は、図１１の光源ユニット２００の分解斜視図である。光源ユニット２００は、光源となる発光基板２２０を有し、器具本体１００に配置され、本体開口部１０１Ａ及び本体開口部１０１Ｂをそれぞれ塞ぐように器具本体１００に取り付けられる。光源ユニット２００は、器具本体１００の本体開口部１０１Ａ及び本体開口部１０１Ｂの両方に同じものが取り付けられる。以下の説明で説明する光源ユニット２００は、本体開口部１０１Ａに取り付けられる光源ユニット２００Ａと、本体開口部１０１Ｂに取り付けられる光源ユニット２００Ｂとが同じ構成のものとして説明する。なお、光源ユニット２００は、光源ユニット２００Ａと光源ユニット２００Ｂとが同じ構成のものに限定されるものではなく、光源ユニット２００Ａと光源ユニット２００Ｂとが異なる構成のものであってもよい。実施の形態１の光源ユニット２００は、器具本体１００に取り付け、また、器具本体１００から取り外しできるものである。しかし、光源ユニット２００は、器具本体１００に対して着脱できるものに限定されるものではなく、光源ユニット２００は、器具本体１００に固定され、着脱できなくてもよい。
【００３２】
光源ユニット２００は、図１１及び図１２に示すように、長尺に形成されており、フレーム２１０と、フレーム２１０に取り付けられる発光基板２２０と、発光基板２２０を覆うようフレーム２１０に取り付けられるカバー２３０と、を有する。発光基板２２０は、図１２に示すように、長尺且つ矩形平板状に形成された基板２２２と、基板２２２の長手方向（Ｘ軸方向）に沿って直線状に実装される複数の発光素子２２１とを備えている。発光素子２２１は、基板２２２の短手方向（Ｙ軸方向）において１つ実装されている。なお、発光素子２２１は、基板２２２の短手方向（Ｙ軸方向）において１つ実装されている例を示したが、発光素子２２１は、基板２２２の短手方向（Ｙ軸方向）において複数実装されてもよい。また、光源ユニット２００は、発光素子２２１を備えた基板２２２が、フレーム２１０の短手方向（Ｙ軸方向）において複数設けられてもよい。また、光源ユニット２００は、発光素子２２１を備えた基板２２２が、フレーム２１０の長手方向（Ｘ軸方向）おいて複数設けられてもよい。発光素子２２１は、例えば表面実装タイプのＬＥＤ素子であるが、ＣＯＢ型のＬＥＤモジュールでもよい。また、発光素子２２１は、固体レーザ素子、半導体レーザ素子又は有機ＥＬ素子でもよい。
【００３３】
カバー２３０は、発光素子２２１を覆うように長尺に形成されている。カバー２３０は、例えば、乳白色のアクリル樹脂など拡散性を有する材料により形成され、発光素子２２１から照射される光を拡散する。カバー２３０は、長尺に形成されており、曲面を構成する板状に形成されている。カバー２３０の短手方向（Ｙ軸方向）の中央部分が凸となるように湾曲している。カバー２３０は、断面が円弧形状であるが、他の形状であってもよい。例えば、カバー２３０は、断面が、平板形状、三角形状、四角形状、その他の多角形状であってもよい。あるいは、カバー２３０は、複数の平面から形成される多面体形状であっても良く、複数の曲面から形成される形状であってもよい。カバー２３０は、後述する発光素子２２１から発せられる光の入射角がある一定の角より大きいと、発光素子２２１から発せられた光がカバー２３０で屈折する。すなわち、カバー２３０は、発光基板２２０から発せられる光を透過させ、発光基板２２０から発せられる光がカバー２３０を透過する際に光を直進させ又は屈折させる。カバー２３０は、発光素子２２１とカバー２３０との間の距離が一定ではなく扁平した形状である。なお、カバー２３０は、扁平した形状に限定されるものではなく、例えば、半円形状等、発光素子２２１とカバー２３０との間の距離が一定であってもよい。
【００３４】
光源ユニット２００は、図１１及び図１２に示すように、取付バネ２４０を有する。取付バネ２４０は、光源ユニット２００を器具本体１００に取り付けるための機構であり、発光基板２２０が配置されている側と反対側の面のフレーム２１０に取り付けられている。取付バネ２４０は、図６に示すように、光源ユニット２００の短手方向（Ｙ軸方向）に延びるバネ部２４０ａを有する。バネ部２４０ａは、ステンレス材料あるいはバネ鋼材などの弾性材料で形成される板バネである。バネ部２４０ａは、フレーム２１０の短手方向（Ｙ軸方向）に延び、フレーム２１０と対向して、フレーム２１０と略平行に配置されているバネ平板部２４０ａ１を有する。また、バネ部２４０ａは、バネ平板部２４０ａ１の先端部からフレーム２１０側に曲折するバネ曲折部２４０ａ２を有する。バネ曲折部２４０ａ２は、光源ユニット２００の短手方向（Ｙ軸方向）の外側に向かって凸となるように円弧状に曲折している。取付バネ２４０は、図１１及び図１２に示すように、光源ユニット２００の長手方向（Ｘ軸方向）の両端部に配置されている。取付バネ２４０は、例えば、ネジ等の固定手段によってフレーム２１０及び後述する端部カバー２５０と固定される。光源ユニット２００Ａは、図２に示すように、取付バネ２４０が、向かい合うように配置された側板部１２０の第一傾斜部１２３ａに係合することによって、器具本体１００に固定される。また、光源ユニット２００Ｂは、図２に示すように、取付バネ２４０が、向かい合うように配置された側板部１２０の第二傾斜部１２４ａに係合することによって、器具本体１００に固定される。
【００３５】
また、光源ユニット２００は、図１１及び図１２に示すように、光源ユニット２００の長手方向（Ｘ軸方向）の端部を塞ぐように取り付けられる端部カバー２５０と、点灯装置１３３に接続される電線部２６０とを備えている。端部カバー２５０は、光源ユニット２００の長手方向（Ｘ軸方向）における端部に配置され、カバー２３０の長手方向（Ｘ軸方向）の開口部を塞ぐとともに、発光基板２２０が照射する光を光源ユニット２００の長手方向（Ｘ軸方向）へ配光するものである。端部カバー２５０は、アクリル樹脂など透過性及び拡散性を有する材料により形成されており、カバー２３０と接着剤あるいは熱溶着などの接合手段により接合されている。また、端部カバー２５０は、例えば、ネジ等の固定手段によって取付バネ２４０と固定される。なお、端部カバー２５０は、カバー２３０の長手方向（Ｘ軸方向）の開口部を塞ぐものであればよく、光を透過しない材料で構成されてもよい。光源ユニット２００は、電線部２６０が点灯装置１３３と接続することで、発光基板２２０と点灯装置１３３とが電気的に接続される。
【００３６】
図１３は、光源ユニット２００と器具本体１００とが分離した状態の光源ユニット２００の器具本体１００への取付参考図である。図１４は、光源ユニット２００と器具本体１００とが接触した状態の光源ユニット２００の器具本体１００への取付参考図である。図１５は、光源ユニット２００と器具本体１００とが係合した状態の光源ユニット２００の器具本体１００への取付参考図である。図１３〜図１５に示すように、器具本体１００は、発光基板２２０を制御する点灯制御部１３０と、いずれか一方の光源ユニット２００の一部と、を収容する第一収容部１ａと、他方の光源ユニット２００の一部を収容する第二収容部１ｂと、を形成する。連結部１１０は、側板部１２０の板面間を連結させ、器具本体１００の内部を第一収容部１ａと第二収容部１ｂとに仕切る。器具本体１００は、第二収容部１ｂの収容空間が、第一収容部１ａの収容空間よりも小さい。なお、第一収容部１ａ及び第二収容部１ｂに収容される光源ユニット２００の一部とは、光源ユニット２００を器具本体１００に係合する取付バネ２４０のことである。
【００３７】
図１３〜図１５を用いて、照明ユニット１０における光源ユニット２００の器具本体１００への取付方法を説明する。図１３は、照明ユニット１０において、光源ユニット２００が器具本体１００から分離した状態を示している。作業者は、光源ユニット２００Ａ及び光源ユニット２００Ｂを、それぞれ器具本体１００に向けて矢印の方向に移動させる。より詳細には、作業者は、光源ユニット２００Ａを、器具本体１００の天井部１００ａに形成された本体開口部１０１Ａに向けて矢印の方向に移動させる。また、作業者は、光源ユニット２００Ｂを、器具本体１００の本体底部１００ｂに形成された本体開口部１０１Ｂに向けて矢印の方向に移動させる。
【００３８】
図１４は、作業者が、図１３の照明ユニット１０の状態から光源ユニット２００を器具本体１００に当接させた状態を示している。作業者が、光源ユニット２００Ａを器具本体１００に当接させると、光源ユニット２００Ａを構成する取付バネ２４０のバネ曲折部２４０ａ２が、第一傾斜部１２３ａの円弧状に形成された傾斜先端部１２３ａ１と当接する。また、作業者が、光源ユニット２００Ｂを器具本体１００に当接させると、取付バネ２４０のバネ曲折部２４０ａ２が、第二傾斜部１２４ａの先端に位置する底部曲折部１２４ａ１と当接する。
【００３９】
図１５は、作業者が、図１４の照明ユニット１０の状態から光源ユニット２００を器具本体１００に押し込んだ状態を示している。作業者が、光源ユニット２００Ａを器具本体１００に押し込むと、光源ユニット２００Ａは、取付バネ２４０のバネ部２４０ａが、第一傾斜部１２３ａの傾斜先端部１２３ａ１に接触して弾性変形しながら押し込まれていく。また、作業者が、光源ユニット２００Ｂを器具本体１００に押し込むと、光源ユニット２００Ｂは、取付バネ２４０のバネ部２４０ａが、第二傾斜部１２４ａの先端に位置する底部曲折部１２４ａ１に接触して弾性変形しながら押し込まれていく。なお、第一傾斜部１２３ａの傾斜先端部１２３ａ１及び第二傾斜部１２４ａの先端に位置する底部曲折部１２４ａ１は、円弧状に形成されていることで、取付バネ２４０のバネ部２４０ａが弾性変形しやすくなっている。光源ユニット２００Ａは、フレーム２１０が第一傾斜部１２３ａの傾斜先端部１２３ａ１と当接するまで押し込まれると器具本体１００に固定される。また、光源ユニット２００Ｂは、フレーム２１０が第二傾斜部１２４ａの先端に位置する底部曲折部１２４ａ１と当接するまで押し込まれると器具本体１００に固定される。このとき、光源ユニット２００Ａの取付バネ２４０は、本体開口部１０１Ａの縁部を形成する第一傾斜部１２３ａの内側の面に係止されている。そして、光源ユニット２００Ａは、器具本体１００に形成された本体開口部１０１Ａを塞ぐように器具本体１００に取り付けられている。また、光源ユニット２００Ｂの取付バネ２４０は、本体開口部１０１Ｂの縁部を形成する第二傾斜部１２４ａの内側の面に係止されている。そして、光源ユニット２００Ｂは、器具本体１００に形成された本体開口部１０１Ｂを塞ぐように器具本体１００に取り付けられている。
【００４０】
図１６は、本発明の実施の形態１に係る照明器具１の配光を説明する参考図である。次に、照明器具１の配光特性について図１６を用いて説明をする。図１６に示すように、第一カバー３００が、器具本体１００に取り付けられた状態において、内カバー平板部３０５は、光源ユニット２００Ｂと対向する。そして、カバー傾斜部３１０は、内カバー平板部３０５から第一カバー保持部１２５に向かって、対向するカバー傾斜部３１０同士の間が狭まるように発光基板２２０の板面に対して傾斜する。また、第一カバー３００及び第二カバー４００が、器具本体１００に取り付けられた状態において、外カバー平板部４０５は、内カバー平板部３０５と対向し、カバー側面部４１０は、器具本体１００の側板部１２０と対向する。側板部１２０は、第二カバー４００が器具本体１００に取り付けられた状態において、カバー側面部４１０と対向する板状に形成された第一反射部１２７を有する。また、第二反射部１２８は、第一カバー３００が器具本体１００に取り付けられた状態において、内カバー平板部３０５と対向する。第二反射部１２８は、器具本体１００の短手方向（Ｙ軸方向）において、内カバー平板部３０５の中央部から端部に向かうに従って、第二反射部１２８と内カバー平板部３０５との距離が離れるように内カバー平板部３０５に対して傾斜している。この第二反射部１２８は、光源ユニット２００Ｂと、第一反射部１２７との間に配置されている。また、第三反射部１２９は、第一カバー３００及び第二カバー４００が器具本体１００に取り付けられた状態において、第一反射部１２７に対して傾斜している。第三反射部１２９は、第一反射部１２７から第二カバー４００に向かうに従い、第三反射部１２９とカバー傾斜部３１０との間が大きくなるように第一反射部１２７に対して傾斜している。
【００４１】
図１６に示すように、光源ユニット２００Ａは、発光基板２２０の発光素子２２１から発する光を、カバー２３０を介して器具本体１００の上側（Ｚ１側）に配光する。したがって、照明器具１は、照明器具１の上側（Ｚ１側）を照らすことができる。
【００４２】
図１６に示すように、光源ユニット２００Ｂは、発光基板２２０の発光素子２２１から発する光を、カバー２３０を介して器具本体１００の下側（Ｚ２側）に配光する。例えば、光源ユニット２００Ｂの発光素子２２１から発せられた光（Ｍ）は、カバー２３０を直進し又はカバー２３０で屈折して、第一カバー３００の内カバー平板部３０５及び第二カバー４００の外カバー平板部４０５を透過する。そのため、照明器具１は、照明器具１の下側（Ｚ２側）を照らすことができる。
【００４３】
また、図１６に示すように、光源ユニット２００Ｂの発光素子２２１から発せられた光（Ｎ）は、カバー２３０で屈折することで第一カバー３００のカバー傾斜部３１０へ進行する。あるいは、上述したように第一カバー３００は、発光基板２２０の発光素子２２１から出射された光の入射角によって、光の一部又は全部を反射させる。そのため、光源ユニット２００Ｂの発光素子２２１から発せられた光（Ｎ１）は、カバー２３０を直進し又はカバー２３０で屈折して、第一カバー３００の内カバー平板部３０５に直進し、内カバー平板部３０５で反射されてカバー傾斜部３１０へ進行する。そして、発光基板２２０の発光素子２２１から出射された光（Ｎ）及び内カバー平板部３０５で反射された光（Ｎ１）は、カバー傾斜部３１０を直進し又はカバー傾斜部３１０で屈折して、第二カバー４００のカバー側面部４１０へ進行する。
【００４４】
あるいは、光源ユニット２００Ｂの発光素子２２１から発せられた光（Ｎ２）は、カバー２３０を直進し又はカバー２３０で屈折して、第一カバー３００の内カバー平板部３０５に直進し、内カバー平板部３０５で反射されて第二反射部１２８へ進行する。第二反射部１２８で反射された光（Ｎ２）は、カバー傾斜部３１０を直進し又はカバー傾斜部３１０で屈折して、第二カバー４００のカバー側面部４１０へ進行する。なお、第二反射部１２８で反射された光（Ｎ２）は、カバー傾斜部３１０に進行しているが、第二反射部１２８で反射された光（Ｎ２）は、内カバー平板部３０５及び外カバー平板部４０５へ進行してこれらを透過してもよい。
【００４５】
第一カバー３００のカバー傾斜部３１０を透過して第二カバー４００のカバー側面部４１０へ進行した光（Ｏ）は、カバー側面部４１０を直進し又はカバー側面部４１０で屈折して、第二カバー４００のカバー側面部４１０を透過する。照明器具１は、第二カバー４００のカバー側面部４１０を透過する光（Ｏ）によって、照明器具１の側方である短手方向側（Ｙ方向側）を照らすことができる。
【００４６】
また、上述したように第二カバー４００は、発光基板２２０の発光素子２２１から出射された光の入射角によって、光の一部又は全部を反射させる。そのため、第一カバー３００のカバー傾斜部３１０を透過して第二カバー４００のカバー側面部４１０へ進行した光（Ｏ１）は、カバー側面部４１０で反射され第一反射部１２７へ進行する。そして、第一反射部１２７に進行した光（Ｏ１）は、第一反射部１２７で反射されてカバー側面部４１０へ進行し、カバー側面部４１０を直進し又はカバー側面部４１０で屈折して、第二カバー４００のカバー側面部４１０を透過する。照明器具１は、第二カバー４００のカバー側面部４１０を透過する光（Ｏ１）によって、照明器具１の側方である短手方向側（Ｙ方向側）を照らすことができる。
【００４７】
あるいは、第一カバー３００のカバー傾斜部３１０を透過して第二カバー４００のカバー側面部４１０へ進行した光（Ｏ２）は、第三反射部１２９へ進行する。そして、第三反射部１２９に進行した光（Ｏ２）は、第三反射部１２９で反射されてカバー側面部４１０へ進行し、カバー側面部４１０を直進し又はカバー側面部４１０で屈折して、第二カバー４００のカバー側面部４１０を透過する。照明器具１は、第二カバー４００のカバー側面部４１０を透過する光（Ｏ２）によって、照明器具１の側方である短手方向側（Ｙ方向側）を照らすことができる。
【００４８】
照明器具１は、光源ユニット２００Ｂから発せられ、照明器具１の下側（Ｚ２側）へ進行する光（Ｍ）と共に、第一カバー３００のカバー傾斜部３１０へ進行する光（Ｎ）及び光（Ｎ１）を形成する。また、照明器具１は、光源ユニット２００Ｂから発せられ、第一カバー３００の内カバー平板部３０５で反射した後、第二反射部１２８で反射し、第一カバー３００のカバー傾斜部３１０へ進行する光（Ｎ２）を形成する。そして、照明器具１は、カバー傾斜部３１０を透過した後、第二カバー４００のカバー側面部４１０を透過する光を形成する。これらの光のうち、たとえば、光（Ｏ）は、カバー傾斜部３１０から直接第二カバー４００へ進行してカバー側面部４１０から出射される。また、光（Ｏ１）は、カバー傾斜部３１０から第二カバー４００へ進行し、第二カバー４００で反射された後に第一反射部１２７で反射されてカバー側面部４１０へ進行し、カバー側面部４１０から出射される。さらに、光（Ｏ２）は、カバー傾斜部３１０から第三反射部１２９へ進行し、第三反射部１２９で反射されてカバー側面部４１０へ進行し、カバー側面部４１０から出射される。このように、照明器具１は、光源ユニット２００Ｂ、第一カバー３００及び第二カバー４００を有していることで、照明器具１の側方である短手方向（Ｙ軸方向）にも配光することができる。さらに、照明器具１は、光源ユニット２００Ｂ、第一カバー３００及び第二カバー４００と共に、光源ユニット２００Ａを有していることで照明器具１の略全周方向へ照射することができる。
【００４９】
実施の形態２．
［照明装置１０００］
図１７は、本発明の実施の形態２に係る照明装置１０００の斜視図である。次に、実施の形態１で説明した照明器具１が複数連結された実施の形態２に係る照明装置１０００に関して説明する。なお、図１〜図１６の照明器具１と同一の構成を有する部位には同一の符号を付してその説明を省略する。実施の形態２に係る照明装置１０００において特に記述しない項目については、発明の実施の形態１に係る照明器具１と同様とし、同一の機能及び構成については同一の符号を用いて述べることとする。照明装置１０００は、複数の照明器具１が連結部材１１００により連結されたものであり、始端用照明器具１０１０と、中間用照明器具１０２０と、終端用照明器具１０３０とを有している。照明装置１０００は、始端用照明器具１０１０と、終端用照明器具１０３０との間に配置される中間用照明器具１０２０の数を変更することで照明装置１０００の長さを調整することができる。
【００５０】
始端用照明器具１０１０、中間用照明器具１０２０及び終端用照明器具１０３０は、照明器具１に連結部材１１００が取り付けられたものである。連結部材１１００には、中間用連結部材１２００と、端部用連結部材１３００とがある。照明装置１０００は、始端用照明器具１０１０、中間用照明器具１０２０及び終端用照明器具１０３０の連結部材１１００が取り付けられていない端部に、隣接する照明器具１に取り付けられている連結部材１１００が挿し込まれて組み立てられる。
【００５１】
図１８は、図１７の照明装置１０００を構成する始端用照明器具１０１０の斜視図である。図１７及び図１８に示すように、始端用照明器具１０１０は、照明器具１の長手方向（Ｘ軸方向）の一端に中間用連結部材１２００が取り付けられ、他端に端部用連結部材１３００が取り付けられている。
【００５２】
図１９は、図１７の照明装置１０００を構成する中間用照明器具１０２０の斜視図である。図１７及び図１９に示すように、中間用照明器具１０２０は、照明器具１の長手方向（Ｘ軸方向）の一端に中間用連結部材１２００が取り付けられている。
【００５３】
図２０は、図１７の照明装置１０００を構成する終端用照明器具１０３０の斜視図である。図１７及び図２０に示すように、終端用照明器具１０３０は、照明器具１の長手方向（Ｘ軸方向）の一端に端部用連結部材１３００が取り付けられている。
【００５４】
なお、図１８〜図２０では、始端用照明器具１０１０は、照明器具１の長手方向（Ｘ軸方向）の一端に中間用連結部材１２００が取り付けられ、他端に端部用連結部材１３００が取り付けられている。また、中間用照明器具１０２０は、照明器具１の長手方向（Ｘ軸方向）の一端に中間用連結部材１２００が取り付けられている。そして、終端用照明器具１０３０は、照明器具１の長手方向（Ｘ軸方向）の一端に端部用連結部材１３００が取り付けられている。しかし、照明装置１０００は、照明器具１と、連結部材１１００とを有すればよく、始端用照明器具１０１０、中間用照明器具１０２０及び終端用照明器具１０３０の構成は他の構成でもよい。例えば、終端用照明器具１０３０は、照明器具１の長手方向（Ｘ軸方向）の一端に中間用連結部材１２００が取り付けられ、他端に端部用連結部材１３００が取り付けられていてもよい。この場合、中間用照明器具１０２０は、照明器具１の長手方向（Ｘ軸方向）の一端に中間用連結部材１２００が取り付けられている。そして、始端用照明器具１０１０は、照明器具１の長手方向（Ｘ軸方向）の一端に端部用連結部材１３００が取り付けられている。あるいは、始端用照明器具１０１０及び終端用照明器具１０３０は、照明器具１の長手方向（Ｘ軸方向）の一端に端部用連結部材１３００が取り付けられていてもよい。この場合、中間用照明器具１０２０は、照明器具１の長手方向（Ｘ軸方向）の両端に中間用連結部材１２００が取り付けられている。あるいは、始端用照明器具１０１０及び終端用照明器具１０３０は、照明器具１の長手方向（Ｘ軸方向）の一端に中間用連結部材１２００が取り付けられ、他端に端部用連結部材１３００が取り付けられていてもよい。この場合、中間用照明器具１０２０が１つの場合は、中間用照明器具１０２０に連結部材１１００は取り付けられていない。また、中間用照明器具１０２０が複数の場合は、中間用照明器具１０２０の間に中間用連結部材１２００が取り付けられる。
【００５５】
照明装置１０００は、照明器具１と、連結部材１１００とを有すればよく、中間用照明器具１０２０を使用することなく、始端用照明器具１０１０及び終端用照明器具１０３０と、連結部材１１００とによって構成されてもよい。この場合、始端用照明器具１０１０は、照明器具１の長手方向（Ｘ軸方向）の一端に中間用連結部材１２００が取り付けられ、他端に端部用連結部材１３００が取り付けられている。そして、終端用照明器具１０３０は、照明器具１の長手方向（Ｘ軸方向）の一端に端部用連結部材１３００が取り付けられている。あるいは、終端用照明器具１０３０は、照明器具１の長手方向（Ｘ軸方向）の一端に中間用連結部材１２００が取り付けられ、他端に端部用連結部材１３００が取り付けられている。そして、始端用照明器具１０１０は、照明器具１の長手方向（Ｘ軸方向）の一端に端部用連結部材１３００が取り付けられている。
【００５６】
図２１は、図１７の照明装置１０００を構成する中間用連結部材１２００の斜視図である。図２２は、図２１の中間用連結部材１２００の分解斜視図である。図２１及び図２２を用いて中間用連結部材１２００について説明する。
【００５７】
（中間用連結部材１２００）
中間用連結部材１２００は、隣接する照明器具１を連結させる。中間用連結部材１２００は、連結部材であり、隣接する照明器具１の端部１００ｃにそれぞれ嵌め合わされることで照明器具１を連結させることができる。中間用連結部材１２００は、図１７、図２１及び図２２に示すように、照明器具１の端部１ｃに挿し込まれて照明器具１を引っ掛けて保持する中間連結部１２１０と、中間連結部１２１０に取り付けられて照明器具１を吊り下げる吊り下げ具１２２０とを有する。また、中間用連結部材１２００は、枠体構造に形成され、中間連結部１２１０に戴置されるように取り付けられ第二カバー４００の図３に示す端部４００ｃを外側から覆う、カバー保持部１２３０を備えている。
【００５８】
（中間連結部１２１０）
中間連結部１２１０は、照明器具１を保持する強度が必要であり、金属で形成されている。なお、中間連結部１２１０は、照明器具１を保持する強度が確保できれば、例えば、合成樹脂等他の材料で形成されてもよい。中間連結部１２１０は、図２２に示すように、吊り下げ具１２２０に取り付けられる中央固定部１２１２と、中央固定部１２１２の下端部から横方向に広がり、カバー保持部１２３０が固定される２つの肩部１２１３とを有する。また、中間連結部１２１０は、肩部１２１３の先端部から垂れ下がり向かい合うように配置された２つの連結係合部１２１１を有している。中間連結部１２１０は、中央固定部１２１２と、肩部１２１３と、連結係合部１２１１とが一体に形成されている。なお、中間連結部１２１０は、中央固定部１２１２と、肩部１２１３と、連結係合部１２１１とが一体に形成されるものに限定されるものではなく、中間連結部１２１０は、中央固定部１２１２と、肩部１２１３と、連結係合部１２１１とが別体で形成されてもよい。
【００５９】
中央固定部１２１２は、一端が天井に固定される吊り下げ具１２２０の他端に取り付けられる。中央固定部１２１２は、板材を曲折して形成されており、吊り下げ具１２２０に取り付けられた状態で逆Ｕ字状となるように形成されている。中央固定部１２１２は、図２２に示すように、板材が３平面を形成するように曲折されて形成されている。しかし、中央固定部１２１２は当該形状に限定されるものではなく、吊り下げ具１２２０に取り付けられる形状であれば、例えば、円弧状に形成された部分を有する１枚の板材で形成される等、他の形状で形成されてもよい。中央固定部１２１２の下端部には肩部１２１３が形成されている。
【００６０】
肩部１２１３は、中央固定部１２１２の下端部から略水平方向かつ、互いに離れる方向に広がる部分を構成する板材である。中間連結部１２１０の肩部１２１３には、カバー保持部１２３０の上辺部１２３０ａが取り付けられる。肩部１２１３は、中間連結部１２１０が吊り下げ具１２２０に取り付けられた状態で略水平方向に延びる板材であり、一端は中央固定部１２１２と連続して形成されており、他端は連結係合部１２１１と連続して形成されている。
【００６１】
連結係合部１２１１は、肩部１２１３の先端部からから垂れ下がる部分である。連結係合部１２１１は、板状に形成されており、中間連結部１２１０が吊り下げ具１２２０に取り付けられた状態で、上下方向に延びる中央部１２１１ａと、中央部１２１１ａの両側から延び、器具本体１００に挿入される連結用突出部１２１１ｂとを有する。中間連結部１２１０は、連結用突出部１２１１ｂを２つ有し、連結用突出部１２１１ｂは、互いに向かうように配置されている。連結係合部１２１１は、中央部１２１１ａと、連結用突出部１２１１ｂとにより逆Ｔ字状に形成されている。中間連結部１２１０の肩部１２１３にカバー保持部１２３０が取り付けられた状態において、連結係合部１２１１は、カバー保持部１２３０で囲まれた空間を貫通するように配置されている。この連結係合部１２１１は、中間連結部１２１０とカバー保持部１２３０とが組み合わされた状態において、連結用突出部１２１１ｂが、カバー保持部１２３０が囲む空間の両側から突出するように配置されている。すなわち、連結係合部１２１１の連結用突出部１２１１ｂは、中間連結部１２１０とカバー保持部１２３０とが組み合わされた状態において、カバー保持部１２３０の枠組構造に対して略垂直方向に突出している。
【００６２】
また、連結係合部１２１１は、連結用突出部１２１１ｂに形成された第二係合部１２１１ｄと、連結用突出部１２１１ｂの先端部１２１１ｂ１に形成された支持片１２１１ｃとを有している。第二係合部１２１１ｄは、中央部１２１１ａと連結用突出部１２１１ｂの先端部１２１１ｂ１との間において、中央部１２１１ａと先端部１２１１ｂ１との間の中央部分よりも中央部１２１１ａ側に形成されている。第二係合部１２１１ｄは、略矩形状の貫通孔である。支持片１２１１ｃは、連結用突出部１２１１ｂの上縁部１２１１ｂ２に形成されており、向かい合うように配置された２つの連結係合部１２１１の互いに形成された支持片１２１１ｃが近づくように突出している。この連結係合部１２１１の支持片１２１１ｃは、連結用突出部１２１１ｂの板面に対して垂直方向に突出しており、中間連結部１２１０と照明器具１とが組み合わされた状態において、照明器具１の短手方向（Ｙ軸方向）に突出している。中間用連結部材１２００が、照明器具１に取り付けられると、天板部１２３と支持片１２１１ｃとが対向する。
【００６３】
（吊り下げ具１２２０）
吊り下げ具１２２０は、天井等の被取付部と中間連結部１２１０との間に配置され、中間連結部１２１０を介して照明器具１を吊り下げて保持する。吊り下げ具１２２０は、天井等の被取付部に取り付けられて中間連結部１２１０を保持する固定部１２２１と、固定部１２２１の長さを調整自在に、固定部１２２１を保持する調整部１２２２と、を有している。固定部１２２１は、例えば、ワイヤー、支持柱等である。調整部１２２２は、固定部１２２１を締め付けるように保持しており、固定部１２２１の長さを変更するときには調整部１２２２の締め付けを緩めることによって固定部１２２１の長さを調整することができる。
【００６４】
（カバー保持部１２３０）
カバー保持部１２３０は、隣接する照明器具１の端部１ｃを覆う。カバー保持部１２３０は、図２１及び図２２に示すように、矩形の枠形状に形成された枠体構造である。カバー保持部１２３０は、４辺を有する中空の四角形状に形成されており、４辺のうちの１辺に切欠部１２４０が形成されている。カバー保持部１２３０は、中間連結部１２１０とカバー保持部１２３０とが組み合わされた状態において、切欠部１２４０から中央固定部１２１２が膨出するように中間連結部１２１０と組み合わされる。カバー保持部１２３０は、中間連結部１２１０の肩部１２１３に戴置するように配設されたあとに、ネジなどの固定具１２５０によって中間連結部１２１０に固定されている。カバー保持部１２３０は、図２２に示すように、断面がＴ字形状に形成されている。
【００６５】
（中間用連結部材１２００の取付）
作業者は、中間用連結部材１２００を照明器具１に取り付けするときに、連結係合部１２１１の連結用突出部１２１１ｂを、図２及び図１０に示す連結開口部１０２に挿し込み、図７及び図８に示す側板部１２０の第二溝部１２２に係合させる。そして、作業者は、連結用突出部１２１１ｂに形成された第二係合部１２１１ｄが、図１０に示す連結バネ１４４の第一係合部１４４ａと係合するまで、連結係合部１２１１の連結用突出部１２１１ｂを挿し込む。中間用連結部材１２００は、連結係合部１２１１の第二係合部１２１１ｄが連結バネ１４４の第一係合部１４４ａと係合することによって、照明器具１から外れることが防止される。なお、連結バネ１４４と連結係合部１２１１との間において、爪と貫通孔との関係は逆であってもよい。すなわち、図９に示す連結バネ１４４に貫通孔の第二係合部１２１１ｄが形成され、連結係合部１２１１に爪状の第一係合部１４４ａが形成されていてもよい。中間用連結部材１２００が照明器具１に取り付けられると、支持片１２１１ｃが側板部１２０の天板部１２３の内側と当接するため、中間用連結部材１２００と照明器具１とは安定して固定される。
【００６６】
また、中間用連結部材１２００が照明器具１に取り付けられると、カバー保持部１２３０は、第二カバー４００の長手方向（Ｘ軸方向）の端部４００ｃを外側から覆うと共に、２つの照明器具１が連結したときの第二カバー４００の継ぎ目となる。カバー保持部１２３０は、第二カバー４００が第二カバー保持部１２６から外れたとしても、中間用連結部材１２００が第二カバー４００の端部４００ｃを外側から覆っていることで第二カバー４００が照明器具１から外れて落下することを抑制することができる。
【００６７】
（端部用連結部材１３００）
図２３は、図１７の照明装置１０００を構成する端部用連結部材１３００の斜視図である。図２４は、図２３の端部用連結部材１３００の分解斜視図である。端部用連結部材１３００は、連結した複数の照明器具１の両方の端部１ｃを覆う。端部用連結部材１３００は、中間用連結部材１２００と同じような構成をしており、図２１及び図２２の中間用連結部材１２００と同一の構成を有する部位には同一の符号を付してその説明を省略する。端部用連結部材１３００において特に記述しない項目については、中間用連結部材１２００と同様とし、同一の機能及び構成については同一の符号を用いて述べることとする。
【００６８】
端部用連結部材１３００は、図１７、図２３及び図２４に示すように、照明器具１の端部１ｃに挿し込まれて照明器具１を引っ掛けて保持する端部連結部１３１０を有する。また、端部用連結部材１３００は、端部連結部１３１０に取り付けられて照明器具１を吊り下げる吊り下げ具１２２０を有する。さらに、端部用連結部材１３００は、枠体構造に形成され、端部連結部１３１０に戴置されるように取り付けられると共に、第二カバー４００の図３に示す端部４００ｃを外側から覆う、カバー保持部１２３０を備えている。また、端部用連結部材１３００は、カバー保持部１２３０に取り付けられる第一蓋部１３３０と、第二蓋部１３４０と、を備えている。
【００６９】
（端部連結部１３１０）
端部連結部１３１０は、照明器具１を保持する強度が必要であり、金属で形成されている。なお、端部連結部１３１０は、照明器具１を保持する強度が確保できれば、例えば、合成樹脂等他の材料で形成されてもよい。端部連結部１３１０は、図２４に示すように、吊り下げ具１２２０に取り付けられる中央固定部１２１２と、中央固定部１２１２の下端部から横方向に広がり、カバー保持部１２３０が固定される２つの肩部１２１３を有する。また、端部連結部１３１０は、肩部１２１３の先端部からから垂れ下がり向かい合うように配置された２つの連結係合部１３１１を有している。端部連結部１３１０は、中央固定部１２１２と、肩部１２１３と、連結係合部１３１１とが一体に形成されている。なお、端部連結部１３１０は、中央固定部１２１２と、肩部１２１３と、連結係合部１３１１とが一体に形成されるものに限定されるものではなく、端部連結部１３１０は、中央固定部１２１２と、肩部１２１３と、連結係合部１３１１とが別体で形成されてもよい。
【００７０】
連結係合部１３１１は、肩部１２１３の先端部からから垂れ下がる部分である。連結係合部１３１１は、板状に形成されており、中間連結部１２１０が吊り下げ具１２２０に取り付けられた状態で、上下方向（Ｚ軸方向）に延びる中央部１３１１ａと、中央部１３１１ａの片側から延びる連結用突出部１３１１ｂとを有する。連結係合部１３１１は、中央部１３１１ａと、連結用突出部１３１１ｂとにより逆Ｌ字状に形成されている。端部連結部１３１０の肩部１２１３にカバー保持部１２３０が取り付けられた状態において、連結係合部１３１１は、カバー保持部１２３０で囲まれた空間から突出するように配置されている。この連結係合部１３１１は、端部連結部１３１０とカバー保持部１２３０とが組み合わされた状態において、連結用突出部１３１１ｂが、カバー保持部１２３０が囲む空間の片側から突出するように配置されている。すなわち、連結係合部１３１１の連結用突出部１３１１ｂは、端部連結部１３１０とカバー保持部１２３０とが組み合わされた状態において、カバー保持部１２３０の枠組構造に対して略垂直方向に突出している。
【００７１】
また、連結係合部１３１１は、連結用突出部１３１１ｂに形成された第二係合部１２１１ｄと、連結用突出部１３１１ｂの先端部１３１１ｂ１に形成された支持片１２１１ｃとを有している。第二係合部１２１１ｄは、中央部１３１１ａと連結用突出部１３１１ｂの先端部１３１１ｂ１との間において、中央部１３１１ａと連結用突出部１３１１ｂの先端部１３１１ｂ１との間の中央部分よりも中央部１３１１ａ側に形成されている。第二係合部１２１１ｄは、略矩形状の貫通孔である。支持片１２１１ｃは、連結用突出部１３１１ｂの上縁部１３１１ｂ２に形成されており、向かい合うように配置された２つの連結係合部１３１１の互いに形成された支持片１２１１ｃが近づくように突出している。この連結係合部１３１１の支持片１２１１ｃは、連結用突出部１３１１ｂの板面に対して垂直方向に突出しており、端部連結部１３１０と照明器具１とが組み合わされた状態において、照明器具１の短手方向（Ｙ軸方向）に突出している。
【００７２】
第一蓋部１３３０は、側板部１２０の長手方向（Ｘ軸方向）の端部、端板鍔部１４３、第二カバー４００の長手方向（Ｘ軸方向）の端部と当接する。第一蓋部１３３０は、側板部１２０、端板鍔部１４３及び第二カバー４００で囲まれた空間の長手方向（Ｘ軸方向）の端部を塞ぐように配置されている。第一蓋部１３３０は、第一カバー３００及び第二カバー４００の内側に虫及び埃などが侵入しないように設けられている。第二蓋部１３４０は、矩形の板状に形成されている。第二蓋部１３４０は、矩形の枠状に形成されたカバー保持部１２３０の中空を塞ぐように配置されており、照明装置１０００の長手方向（Ｘ軸方向）の端部の壁部を構成する。
【００７３】
（端部用連結部材１３００の取付）
作業者は、端部用連結部材１３００を照明器具１に取り付けするときに、連結係合部１３１１の連結用突出部１３１１ｂを、図２及び図１０に示す連結開口部１０２に挿し込み、図７及び図８に示す側板部１２０の第二溝部１２２に係合させる。そして、作業者は、連結係合部１３１１に形成された第二係合部１２１１ｄが、図１０に示す連結バネ１４４の第一係合部１４４ａと係合するまで連結係合部１３１１の連結用突出部１３１１ｂを挿し込む。端部用連結部材１３００は、連結係合部１３１１の第二係合部１２１１ｄが連結バネ１４４の第一係合部１４４ａと係合することによって、照明器具１から外れることが防止される。なお、連結バネ１４４と連結係合部１３１１との間において、爪と貫通孔との関係は逆であってもよい。すなわち、図９に示す連結バネ１４４に貫通孔の第二係合部１３１１ｄが形成され、連結係合部１３１１に爪状の第一係合部１４４ａが形成されていてもよい。端部用連結部材１３００が照明器具１に取り付けられると、支持片１２１１ｃが側板部１２０の天板部１２３の内側と当接するため、端部用連結部材１３００と照明器具１とは安定して固定される。
【００７４】
また、端部用連結部材１３００が照明器具１に取り付けられると、カバー保持部１２３０は、第二カバー４００の長手方向（Ｘ軸方向）の端部４００ｃを外側から覆い、照明装置１０００の端部側の壁部を構成する。カバー保持部１２３０は、第二カバー４００が第二カバー保持部１２６から外れたとしても、端部用連結部材１３００が第二カバー４００の端部４００ｃを外側から覆っていることで第二カバー４００が照明器具１から外れて落下することを抑制することができる。
【００７５】
以上のように、本発明の照明装置１０００は、隣接する照明器具１の端部１００ｃにそれぞれ嵌め合わされることで照明器具１を連結させる中間用連結部材１２００を備えている。そのため、照明装置１０００は、中間用連結部材１２００を照明器具１に嵌め合わせるだけで複数の照明器具１を連結することができ、作業者は、照明器具１を連結させやすい。その結果、作業者は、照明装置１０００の組み立てを容易にすることができる。
【００７６】
本発明の照明装置１０００は、照明器具１を連結させる中間用連結部材１２００を備えている。この中間用連結部材１２００は、隣接する照明器具１の端部１ｃにそれぞれ挿し込まれる中間連結部１２１０と、中間連結部１２１０に固定され、隣接する照明器具１の端部１ｃを覆うカバー保持部１２３０と、を有する。そのため、照明装置１０００は、連結部材１１００を挿し込むだけで複数の照明器具１を連結することができ、作業者は、各照明器具１を連結させやすい。その結果、作業者は、照明装置１０００の組み立てを容易にすることができる。
【００７７】
また、中間連結部１２１０は、器具本体１００に挿入される連結用突出部１２１１ｂを有し、器具本体１００は、器具本体１００の側面を構成する側板部１２０を有し、側板部１２０には、連結用突出部１２１１ｂが挿入される第二溝部１２２が形成されている。そのため、照明装置１０００は、中間連結部１２１０の連結用突出部１２１１ｂを、第二溝部１２２に挿し込むだけで複数の照明器具１を連結することができ、作業者は、各照明器具１を連結させやすい。その結果、作業者は、照明装置１０００の組み立てを容易にすることができる。
【００７８】
また、照明装置１０００は、第一係合部１４４ａが形成された連結バネ１４４と、第二係合部１２１１ｄが形成された連結用突出部１２１１ｂとを有する。照明装置１０００は、第一係合部１４４ａと第二係合部１２１１ｄとが係合させることで、中間用連結部材１２００と照明器具１とを係合させることができる。そのため、作業者は、各照明器具１を連結させやすく、照明装置１０００の組み立てを容易にすることができる。
【００７９】
また、中間連結部１２１０は、互いに向かうように配置された連結用突出部１２１１ｂを有しており、２つの連結用突出部１２１１ｂは、それぞれの上縁部１３１１ｂ２に、互いに近づくように突出した支持片１２１１ｃを有する。そして、中間用連結部材１２００が、照明器具１に取り付けられると、天板部１２３と支持片１２１１ｃとが対向する。そのため、中間用連結部材１２００が照明器具１に取り付けられると、支持片１２１１ｃが側板部１２０の天板部１２３の内側と当接するため、中間用連結部材１２００と照明器具１とは安定して固定される。
【００８０】
また、照明装置１０００は、連結した複数の照明器具１の、両方の端部を覆う端部用連結部材１３００を有する。そのため、照明装置１０００は、端部からの虫及び埃の侵入を防ぐことができる。
【００８１】
また、中間連結部１２１０及び端部連結部１３１０は、一端が天井に固定される吊り下げ具１２２０の他端に取り付けられる中央固定部１２１２を有する。そのため、照明装置１０００は、照明器具１を連結させるとともに、連結した照明器具１を吊り下げることができる。
【００８２】
また、照明装置１０００は、カバー保持部１２３０が、第二カバー４００の端部４００ｃを外側から覆う。照明装置１０００は、中間用連結部材１２００が第二カバー４００の端部４００ｃを外側から覆っていることで第二カバー４００が照明器具１から外れて落下することを防ぐことができる。
【００８３】
実施の形態３．
［照明装置２５００］
図２５は、本発明の実施の形態３に係る照明装置２５００に用いられる蓋部２０００の斜視図である。図２６は、図２５の蓋部２０００と組み合わされる連結部材２１００の斜視図である。図２７は、図２５の蓋部２０００及び図２６の連結部材２１００を用い、隣接する照明器具１が連結する前の斜視図である。図２８は、図２５の蓋部２０００及び図２６の連結部材２１００を用い、隣接する照明器具１が連結した状態の斜視図である。次に、図２５〜図２８を用いて実施の形態３に係る照明装置２５００に関して説明する。なお、図１〜図２４の照明器具１及び照明装置１０００等と同一の構成を有する部位には同一の符号を付してその説明を省略する。実施の形態３に係る照明装置２５００において特に記述しない項目については、照明器具１及び照明装置１０００等と同様とし、同一の機能及び構成については同一の符号を用いて述べることとする。なお、図２７及び図２８では、照明器具１の連結態様を明確にするために、カバー保持部１２３０の図示は省略する。
【００８４】
［蓋部２０００］
照明器具１は、図２７に示すように長手方向（Ｘ軸方向）の端部１００ｃに蓋部２０００を配置してもよい。蓋部２０００は、図２５に示すように、板状に形成された蓋本体部２００５を有する。蓋本体部２００５は、蓋部２０００が端部１００ｃに配置されると、端部１００ｃを覆う。すなわち、蓋本体部２００５は、蓋部２０００が端部１００ｃに配置されると、照明器具１の長手方向（Ｘ軸方向）に対して、略垂直に配置される。蓋部２０００の蓋本体部２００５には、図２５に示すように、蓋突設部２０１０と、蓋固定部２０２０と、蓋側壁部２０３０とが形成されている。
【００８５】
蓋突設部２０１０は、図２７に示すように、蓋部２０００が端部１００ｃに配置された場合に、蓋本体部２００５から照明器具１の内部空間側とは反対方向に突出するように形成されている。蓋突設部２０１０は、蓋本体部２００５の板面から立ち上がると共に曲折し、先端部２０１１の板面が蓋本体部２００５の板面と平行又は平行に近い角度になるように形成されている。蓋突設部２０１０は、先端部２０１１が、上下方向（Ｚ軸方向）において、下側（Ｚ２側）に突出するように形成されている。
【００８６】
蓋固定部２０２０は、図２７に示すように、蓋部２０００が端部１００ｃに配置された場合に、蓋本体部２００５から照明器具１の内部空間側とは反対方向に突出するように形成されている。蓋固定部２０２０は、図２６に示すように、蓋本体部２００５から立ち上がり、板状に形成されている。蓋固定部２０２０は、蓋本体部２００５の上縁部２００６に形成されており、蓋部２０００が端部１００ｃに配置された場合に、照明器具１の短手方向（Ｙ軸方向）において片側に寄るように形成されている。従って、２つの照明器具１の端部１００ｃを隣り合うように配置させると、隣り合う蓋部２０００の蓋本体部２００５は対向し、図２７及び図２８に示すように、蓋固定部２０２０は、それぞれ短手方向（Ｙ軸方向）において異なる方向に配置される。照明装置２５００は、蓋固定部２０２０を照明器具１の短手方向（Ｙ軸方向）の片側に寄せることで、対向する蓋部２０００の蓋固定部２０２０を互い違いに配置することができ、連結部材２１００を大きくせずに、対向する蓋部２０００を固定することができる。蓋固定部２０２０は、後述する連結部材２１００とネジ等の固定具１２５５により固定される。そのため、蓋固定部２０２０には、固定具１２５５が挿通されるネジ固定孔２０２１が形成されている。
【００８７】
蓋側壁部２０３０は、図２７に示すように、蓋部２０００が端部１００ｃに配置された場合に、蓋本体部２００５から照明器具１の内部空間側とは反対方向に突出するように形成されている。蓋側壁部２０３０は、照明器具１の短手方向（Ｙ軸方向）の両方の端部に位置する側縁部２００７から立ち上がり、板状に形成されている。蓋側壁部２０３０は、器具本体１００、あるいは、後述する器具本体２２００と、ネジ等の固定具１２５６により固定される。そのため、蓋側壁部２０３０には、固定具１２５６が挿通されるネジ固定孔２０３１が形成されている。
【００８８】
［連結部材２１００］
上述した中間連結部１２１０は、図２６に示すような連結部材２１００でもよい。連結部材２１００は、隣接する照明器具１の端部１００ｃにそれぞれ引っ掛かることで照明器具１と係合する。連結部材２１００は、略矩形状に形成され、板状に形成された、連結本体部２１０５と、連結本体部２１０５の縁部２１０７から下方に延びるように設けられた連結側壁部２１０６とを有する。図２７及び図２８に示すように、照明装置２５００において、連結本体部２１０５は、長手方向が照明器具１の短手方向（Ｙ軸方向）となるように配置される。
【００８９】
連結本体部２１０５は、上述した蓋固定部２０２０とネジ等の固定具１２５５により固定される。そのため、連結本体部２１０５には、固定具１２５５が挿通されるネジ固定孔２１１１が形成されている。また、連結部材２１００の連結本体部２１０５には、吊り下げ具１２２０を固定する固定穴２１１０が長穴に形成されている。固定穴２１１０は、連結部材２１００を照明器具１に取り付けた場合に、照明器具１の長手方向（Ｘ軸方向）よりも照明器具１の短手方向（Ｙ軸方向）に径が大きくなるように形成されている。このように固定穴２１１０を長穴に形成することで、吊り下げ具１２２０が長穴に沿って短手方向へ移動することができ、複数の照明器具１を連結したときに連結した照明器具１が斜めになってしまうことを調整することができる。なお、固定穴２１１０は、連結本体部２１０５において、連結本体部２１０５の長手方向の中央部に形成されている。また、ネジ固定孔２１１１は、連結本体部２１０５の長手方向において、固定穴２１１０の両側に形成されている。
【００９０】
連結側壁部２１０６は、連結本体部２１０５の長手方向に沿って形成されている。連結側壁部２１０６は、連結本体部２１０５の短手方向の両端の縁部２１０７に形成されており、両端部に形成された２つの連結側壁部２１０６は、互いに対向するように形成されている。連結側壁部２１０６は、図２７及び図２８に示すように、蓋部２０００に取り付けられた場合に、照明装置２５００において、蓋本体部２００５と対向するように配置される。連結側壁部２１０６には、蓋突設部２０１０が係合する連結用開口２１２０が形成されている。連結用開口２１２０は、連結部材２１００の長手方向において略中央部に形成されている。すなわち、照明装置２５００において、連結用開口２１２０は、照明器具１の短手方向の略中央部に形成されている。
【００９１】
［照明装置２５００の組立］
図２７及び図２８を用いて照明装置２５００の組立について説明する。照明装置２５００は、連結部材２１００の連結用開口２１２０に、蓋部２０００の蓋突設部２０１０が挿し込まれることで、連結部材２１００と照明器具１とを連結させることができる。より詳細には、作業者は、まず、蓋部２０００を器具本体１００に固定する。あるいは、作業者は、蓋部２０００を器具本体２２００に固定する。その後、作業者は、連結部材２１００の連結用開口２１２０に、蓋部２０００の蓋突設部２０１０を挿し込む。連結部材２１００の連結用開口２１２０に、蓋部２０００の蓋突設部２０１０が挿し込まれることで、隣り合う照明器具１は連結される。このとき、蓋固定部２０２０の下面部と、連結本体部２１０５上面部とが対向し当接する。そして、作業者は、蓋固定部２０２０のネジ固定孔２０２１と、連結本体部２１０５のネジ固定孔２１１１との位置をあわせる。作業者は、ネジ固定孔２０２１とネジ固定孔２１１１とに固定具１２５５を挿通させ、固定具１２５５によって、蓋部２０００の蓋固定部２０２０と連結部材２１００の連結本体部２１０５とを固定する。照明装置２５００は、蓋固定部２０２０と連結本体部２１０５とが固定されることで、隣り合う照明器具１の連結が確実なものとなる。
【００９２】
なお、図２７及び図２８では省略しているが、蓋固定部２０２０と連結本体部２１０５との固定に際し、カバー保持部１２３０を一緒に固定してもよい。すなわち、蓋固定部２０２０と、連結本体部２１０５と、肩部１２１３とを固定具１２５５によって固定してもよい。カバー保持部１２３０が照明器具１に取り付けられると、カバー保持部１２３０は、第二カバー４００の長手方向（Ｘ軸方向）の端部４００ｃを外側から覆うと共に、２つの照明器具１が連結したときの第二カバー４００の継ぎ目となる。カバー保持部１２３０は、第二カバー４００の端部４００ｃを外側から覆っていることで第二カバー４００が照明器具１から外れて落下することを抑制することができる。
【００９３】
図２９は、器具本体１００の変形例の正面概念図である。また、器具本体１００は、図２９に示す器具本体２２００のように一体に形成してもよい。器具本体２２００は、器具本体２２００の側面を構成する側板部２２１０と、対向する２つの側板部２２１０を両縁部に一体に形成する底板部２２２０と、を有する。そして、器具本体２２００は、下側方向は開口を有さずに光源ユニット２００が取り付けつけられてもよい。また、器具本体２２００は、側板部２２１０を照明器具１の外側に反るように円弧状に形成してもよい。
【００９４】
以上のように照明装置２５００は、連結部材２１００が、隣接する照明器具１の端部１００ｃにそれぞれ引っ掛かることで照明器具１と係合する。そのため、照明装置２５００は、連結部材２１００を引っ掛けるだけで複数の照明器具１を連結することができ、作業者は、各照明器具１を連結させやすい。その結果、作業者は、照明装置２５００の組み立てを容易にすることができる。
【００９５】
また、連結側壁部２１０６には、蓋突設部２０１０が係合する連結用開口２１２０が形成されている。そのため、照明装置２５００は、連結部材２１００を引っ掛けるだけで複数の照明器具１を連結することができ、作業者は、各照明器具１を連結させやすい。その結果、作業者は、照明装置２５００の組み立てを容易にすることができる。
【００９６】
また、蓋本体部２００５は、上縁部２００６から突出し、蓋部２０００が照明器具１に配置される場合に、照明器具１の短手方向（Ｙ軸方向）において片側に寄るように形成されている蓋固定部２０２０を有する。照明装置２５００は、蓋固定部２０２０を照明器具１の短手方向（Ｙ軸方向）の片側に寄せることで、対向する蓋部２０００の蓋固定部２０２０を互い違いに配置することができ、連結部材２１００を大きくせずに、対向する蓋部２０００を固定することができる。
【００９７】
また、照明装置２５００は、蓋部２０００と連結部材２１００とを係合する際に、蓋固定部２０２０と連結本体部２１０５とが固定具１２５５により固定される。照明装置２５００は、蓋固定部２０２０と連結本体部２１０５とが固定されることで、隣り合う照明器具１の連結が確実なものとなる。
【００９８】
また、器具本体２２００は、器具本体２２００の側面を構成する側板部２２１０と、対向する２つの側板部２２１０を両縁部に一体に形成する底板部２２２０と、を有する。器具本体２２００は、側板部２２１０と底板部２２２０とが一体に形成されていることで、側板部２２１０と底板部２２２０とを組み立てる工程を省略することができ、器具本体２２００の製造を簡易に行うことができる。
【００９９】
また、器具本体２２００は、側板部２２１０を照明器具１の外側に反るように円弧状に形成してもよい。器具本体２２００は、側板部２２１０のように、側板部２２１０が照明器具１の外側に反るように円弧状に形成されることで、より側面方向へ均一になるように光を照射することができる。
【符号の説明】
【０１００】
１  照明器具、１ａ  第一収容部、１ｂ  第二収容部、１ｃ  端部、１０  照明ユニット、１００  器具本体、１００ａ  天井部、１００ｂ  本体底部、１００ｃ  端部、１０１Ａ  本体開口部、１０１Ｂ  本体開口部、１０２  連結開口部、１１０  連結部、１１１  底面部、１１１ａ  切り欠き部、１１２  側部、１１５  固定手段、１２０  側板部、１２１  第一溝部、１２２  第二溝部、１２３  天板部、１２３ａ  第一傾斜部、１２３ａ１  傾斜先端部、１２３ｂ  天板先端部、１２４  底板部、１２４ａ  第二傾斜部、１２４ａ１  底部曲折部、１２４ｂ  底板先端部、１２５  第一カバー保持部、１２５ａ  カバー保持用開口部、１２６  第二カバー保持部、１２７  第一反射部、１２７ａ  突出部、１２７ａ１  上部突出部、１２７ａ２  下部突出部、１２７ｂ  底板突出部、１２８  第二反射部、１２９  第三反射部、１３０  点灯制御部、１３１  電源端子台、１３２  信号端子台、１３３  点灯装置、１３４  制御ユニット、１４０  端板部、１４１  端板本体部、１４１ａ  電線用開口、１４１ｂ  端板切り欠き部、１４２  端板固定部、１４３  端板鍔部、１４４  連結バネ、１４４ａ  第一係合部、１４５  ブッシュ、２００  光源ユニット、２００Ａ  光源ユニット、２００Ｂ  光源ユニット、２１０  フレーム、２２０  発光基板、２２１  発光素子、２２２  基板、２３０  カバー、２４０  取付バネ、２４０ａ  バネ部、２４０ａ１  バネ平板部、２４０ａ２  バネ曲折部、２５０  端部カバー、２６０  電線部、３００  第一カバー、３０５  内カバー平板部、３１０  カバー傾斜部、３２０  先端傾斜部、３２０ａ  第一カバー先端部、３２０ｂ  曲折部、４００  第二カバー、４００ｃ  端部、４０５  外カバー平板部、４１０  カバー側面部、４２０  先端引掛部、４２０ａ  先端部、１０００  照明装置、１０１０  始端用照明器具、１０２０  中間用照明器具、１０３０  終端用照明器具、１１００  連結部材、１２００  中間用連結部材、１２１０  中間連結部、１２１１  連結係合部、１２１１ａ  中央部、１２１１ｂ  連結用突出部、１２１１ｂ１  先端部、１２１１ｂ２  上縁部、１２１１ｃ  支持片、１２１１ｄ  第二係合部、１２１２  中央固定部、１２１３  肩部、１２２０  吊り下げ具、１２２１  固定部、１２２２  調整部、１２３０  カバー保持部、１２３０ａ  上辺部、１２４０  切欠部、１２５０  固定具、１３００  端部用連結部材、１３１０  端部連結部、１３１１  連結係合部、１３１１ａ  中央部、１３１１ｂ  連結用突出部、１３１１ｂ１  先端部、１３１１ｂ２  上縁部、１３３０  第一蓋部、１３４０  第二蓋部、２０００  蓋部、２００５  蓋本体部、２００６  上縁部、２００７  側縁部、２０１０  蓋突設部、２０１１  先端部、２０２０  蓋固定部、２０２１  ネジ固定孔、２０３０  蓋側壁部、２０３１  ネジ固定孔、２１００  連結部材、２１０５  連結本体部、２１０６  連結側壁部、２１０７  縁部、２１１０  固定穴、２１１１  ネジ固定孔、２１２０  連結用開口、２２００  器具本体、２２１０  側板部、２２２０  底板部、２５００  照明装置。
【図１】
2020004690.tif 000003
【図２】
2020004690.tif 000004
【図３】
2020004690.tif 000005
【図４】
2020004690.tif 000006
【図５】
2020004690.tif 000007
【図６】
2020004690.tif 000008
【図７】
2020004690.tif 000009
【図８】
2020004690.tif 000010
【図９】
2020004690.tif 000011
【図１０】
2020004690.tif 000012
【図１１】
2020004690.tif 000013
【図１２】
2020004690.tif 000014
【図１３】
2020004690.tif 000015
【図１４】
2020004690.tif 000016
【図１５】
2020004690.tif 000017
【図１６】
2020004690.tif 000018
【図１７】
2020004690.tif 000019
【図１８】
2020004690.tif 000020
【図１９】
2020004690.tif 000021
【図２０】
2020004690.tif 000022
【図２１】
2020004690.tif 000023
【図２２】
2020004690.tif 000024
【図２３】
2020004690.tif 000025
【図２４】
2020004690.tif 000026
【図２５】
2020004690.tif 000027
【図２６】
2020004690.tif 000028
【図２７】
2020004690.tif 000029
【図２８】
2020004690.tif 000030
【図２９】
2020004690.tif 000031